(57)【特許請求の範囲】
【請求項１】
開口部を有したケース体と、
このケース体に設けられた駆動手段と、
この駆動手段の駆動により前記開口部を介してディスク状記録媒体を前記ケース体内外へ搬送する搬送手段と、
前記ケース体内に設けられ、前記ディスク状記録媒体を回転可能に軸支し、回転する前記ディスク状記録媒体に記録された情報の読取処理および前記ディスク状記録媒体に情報を記録する記録処理のうちの少なくともいずれか一方を実施する処理手段と、
この処理手段で前記読取処理および記録処理のうちの少なくともいずれか一方を処理する際の前記ディスク状記録媒体の処理位置を検出する処理位置検出手段と、
前記ディスク状記録媒体の回転状態を検出する回転状態検出手段と、
手動操作可能に設けられ手動操作により前記搬送手段にて前記ディスク状記録媒体を前記ケース体外へ搬送させる手動排出手段と、
前記処理位置検出手段により前記ディスク状記録媒体が前記処理手段で処理する際の処理位置に位置しないことを検出するとともに、前記回転状態検出手段により前記ディスク状記録媒体が回転していることを検出すると、前記ディスク状記録媒体を前記ケース体内へ搬送させる状態に前記駆動手段の駆動を制御して、手動操作に応じて前記手動排出手段にて前記ディスク状記録媒体を前記搬送手段で搬送させる動作を規制する規制手段と、
を具備したことを特徴とした処理装置。
【請求項２】
請求項１に記載の処理装置であって、
前記処理手段は、
前記ケース体内に設けられ前記ディスク状記録媒体を回転可能に軸支する回転軸支手段と、
この回転軸支手段により軸支されて回転される、前記ディスク状記録媒体に記録された情報の読取処理および前記ディスク状記録媒体に情報を記録する記録処理のうちの少なくともいずれか一方を実施する情報処理手段と、を備え、
前記回転状態検出手段は、前記回転軸支手段の駆動状態により前記ディスク状記録媒体の回転状態を検出する
ことを特徴とした処理装置。
【請求項４】
請求項１または請求項２に記載の処理装置であって、
前記搬送手段は、前記ディスク状記録媒体を保持し前記駆動手段の駆動により前記開口部を介して前記ケース体内外へ移動されるトレイを備え、
前記手動排出手段は、操作具を利用した手動操作により前記トレイを前記ケース体外へ移動させることで前記ディスク状記録媒体を前記ケース体外へ搬送させ、
前記規制手段は、前記手動排出手段による前記トレイの前記ケース体外への移動における前記トレイの移動を規制する
ことを特徴とした処理装置。
【請求項５】
請求項１ないし請求項４のいずれかに記載の処理装置であって、
前記処理手段は、前記ディスク状記録媒体を回転可能に軸支するターンテーブルを備え、
前記搬送手段は、前記駆動手段の駆動により移動され、前記ディスク状記録媒体を搬送する際に搬送される前記ディスク状記録媒体の搬送経路から前記ターンテーブルが待避する待避状態と、前記読取処理および前記記録処理のうちの少なくともいずれか一方を実施する際に前記ターンテーブルを前記搬送経路に進出して前記ディスク状記録媒体を軸支する処理状態とに前記処理手段を移動させるカムを備え、
前記手動排出手段は、前記手動操作により動作され、前記処理手段が前記処理状態から前記待避状態へ移動される状態に前記手動操作により前記カムを移動させることで前記ディスク状記録媒体を前記ケース体外へ搬送させる操作部を備え、
前記規制手段は、前記手動操作により前記操作部が移動されて前記カムが移動されることを規制して前記ディスク状記録媒体が搬送される動作を規制する
ことを特徴とした処理装置。
【請求項６】
請求項５に記載の処理装置であって、
前記規制手段は、前記処理手段が前記処理状態から前記待避状態へ移動される状態に前記カムの前記手動操作に応じた移動に抗して、前記処理手段が前記待避状態から前記処理状態へ移動される状態に前記カムを移動させる状態に前記駆動手段を駆動させる制御をする
ことを特徴とした処理装置。
【請求項７】
請求項５または請求項６に記載の処理装置であって、
前記処理位置検出手段は、前記カムの移動によりオンオフして前記処理位置を検出するスイッチを備え、
前記規制手段は、前記スイッチのオンオフに基づいて前記手動操作による前記手動排出手段にて前記ディスク状記録媒体を前記搬送手段で搬送させる動作を認識する
ことを特徴とした処理装置。
【請求項８】
請求項１ないし請求項７のいずれかに記載の処理装置であって、
前記規制手段は、規制する動作として前記ディスク状記録媒体が前記処理手段で処理する際の処理位置に位置する状態に維持する制御をする
ことを特徴とした処理装置。
【請求項９】
請求項１ないし請求項８のいずれかに記載の処理装置であって、
前記規制手段は、前記手動操作に応じて前記手動排出手段にて前記ディスク状記録媒体を前記搬送手段で搬送させる動作により、前記処理位置検出手段により前記ディスク状記録媒体が前記処理手段で処理する際の処理位置に位置することを検出するとともに、前記回転状態検出手段により前記ディスク状記録媒体が回転していないことを検出すると、前記ディスク状記録媒体を前記ケース体外へ前記搬送手段により所定距離で搬出させる状態に前記駆動手段の駆動を制御する
ことを特徴とした処理装置。
【発明の詳細な説明】
【技術分野】
【０００１】
本発明は、搬送手段によりディスク状記録媒体をケース体内外へ搬送し処理手段にて読取処理や記録処理をする処理装置に関する。
【背景技術】
【０００２】
従来、例えばＣＤ（Compact Disc）やＤＶＤ（Digital Versatile Disc）などのディスク状記録媒体に記録された情報を適宜読み出し、あるいはディスク状記録媒体に情報を記録する処理をする処理装置が広く利用されている。このような処理装置として、ディスク状記録媒体を処理装置内外へ搬送する搬送装置と、例えば電力の供給の停止や衝撃などの異常動作などにより搬送装置が動作しない状態でも処理装置内に搬送された記録媒体を操作具にて手動操作により排出させる排出機構とを備えた構成が知られている。この手動操作によりディスク状記録媒体を排出させる構成としては、例えば、操作具により動作されるレバーを備え、このレバーの動作により、ディスク状記録媒体を回転可能に軸支するクランプ機構によるクランプを解除するとともに、ディスク状記録媒体を搬送するトレイをディスク状記録媒体が排出される方向に移動させる構成が採られている。
【０００３】
しかしながら、このような手動操作により動作するレバーを有し機械的にディスク状記録媒体を排出させる排出機構を備えた構成では、ディスク状記録媒体の排出が機械的な動作のみによって実施されるので、ディスク状記録媒体を傷付けるなどの不都合が生じるおそれがある。すなわち、ディスク状記録媒体の読取処理や記録処理などのディスク状記録媒体をクランプして回転させている状態でも排出が可能な構成であることから、読取処理や記録処理などの際に手動操作によりディスク状記録媒体の排出処理が実施されると、回転しているディスク状記録媒体と、ディスク状記録媒体を搬送するトレイなどの搬送装置とが接触し、ディスク状記録媒体が傷付いたり、搬送装置が損傷するなどのおそれがある。そこで、ディスク状記録媒体が回転している際には排出させない構成が採られている（例えば、特許文献１参照）。
【０００４】
特許文献１に記載のものは、プランジャとトレイロックなどからなり、光ディスクの排出を電気的な手段を用いて実行させる電気的イジェクト手段と、メカニカルイジェクトボタンとトレイロックなどからなり、光ディスクの排出を機械的な手段のみを用いて実行させる機械的イジェクト手段との両機構を備えている。そして、電源が供給されており光ディスクが回転している場合には、機械的イジェクト手段はローディング機構による光ディスクの排出を禁止している。
【０００５】
【特許文献１】
特開平１０−４０６２８号公報（第４頁右欄−第９頁右欄）
【発明の開示】
【発明が解決しようとする課題】
【０００６】
しかしながら、上述した特許文献１に記載のような従来の構成では、電源が供給されている場合には機械的な排出ができない。このため、例えば電源が供給されている状態での動作確認などの保守管理が必要な場合、機械的な排出ができず、保守管理が煩雑となるおそれがある。
【０００７】
本発明は、電源が供給されている場合であっても手動操作によるディスク状記録媒体の排出が良好に実施される処理装置を提供することを１つの目的とする。
【課題を解決するための手段】
【０００８】
本発明の処理装置は、開口部を有したケース体と、このケース体に設けられた駆動手段と、この駆動手段の駆動により前記開口部を介してディスク状記録媒体を前記ケース体内外へ搬送する搬送手段と、前記ケース体内に設けられ、前記ディスク状記録媒体を回転可能に軸支し、回転する前記ディスク状記録媒体に記録された情報の読取処理および前記ディスク状記録媒体に情報を記録する記録処理のうちの少なくともいずれか一方を実施する処理手段と、この処理手段で前記読取処理および記録処理のうちの少なくともいずれか一方を処理する際の前記ディスク状記録媒体の処理位置を検出する処理位置検出手段と、前記ディスク状記録媒体の回転状態を検出する回転状態検出手段と、手動操作可能に設けられ手動操作により前記搬送手段にて前記ディスク状記録媒体を前記ケース体外へ搬送させる手動排出手段と、前記処理位置検出手段により前記ディスク状記録媒体が前記処理手段で処理する際の処理位置に位置しないことを検出するとともに、前記回転状態検出手段により前記ディスク状記録媒体が回転していることを検出すると、前記ディスク状記録媒体を前記ケース体内へ搬送させる状態に前記駆動手段の駆動を制御して、手動操作に応じて前記手動排出手段にて前記ディスク状記録媒体を前記搬送手段で搬送させる動作を規制する規制手段と、を具備したことを特徴とした処理装置である。
【図面の簡単な説明】
［０００９］
［図１］本発明における実施形態に係るディスクドライブの概略構成を示す分解斜視図である。
［図２］前記実施形態における開閉駆動手段が配設された枠体およびディスクトレイを示す分解斜視図である。
［図３］前記実施形態における開閉駆動手段が配設された枠体をディスクトレイとの関係で示す平面図である。
［図４］前記実施形態における回動操作部とカムとの関係を示すディスクドライブの一部を切り欠いた平面図である。
［図５］前記実施形態におけるカムと本体部とスイッチとの関係で本体部による処理状態を示す端面図である。
［図６］前記実施形態におけるカムと本体部とスイッチとの関係で処理状態からカムが移動された当初の状態を示す端面図である。
［図７］前記実施形態におけるカムと本体部とスイッチとの関係で本体部が待避状態へ移動された当初の状態を示す端面図である。
［図８］前記実施形態における手動操作にてディスクトレイを進出させる際の回路基板の制御回路による規制動作を示すフローチャートである。
【符号の説明】
［００１０］
１０………ケース体
１３ａ……開口部としての窓部
２０………処理手段としての本体部
２５………回転軸支手段としてのディスク回転駆動手段
２７………ターンテーブル
３０………情報処理手段としての処理移動手段
５０………搬送手段を構成するトレイとしてのディスクトレイ
６０………搬送手段を構成する開閉駆動手段
６８………搬送手段を構成するカムである移動カム
６９………処理位置検出手段としてスイッチである処理位置検出スイッチ
７０………回動操作部
７５………回転状態検出手段および規制手段として機能する制御回路を搭載する回路基板
８０………操作具としての操作ピン
１００………処理装置としてのディスクドライブ
２００………被搬送物であるディスク状記録媒体としての光ディスク
【発明を実施するための最良の形態】
【００１１】
以下、本発明の一実施形態を図面に基づいて説明する。
本実施形態では、ディスク状記録媒体としての光ディスクに情報を記録および読み出す処理装置であるディスク装置としてのディスクドライブを例示して説明するが、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれのディスク状記録媒体に各種情報を記録あるいは読み出すいずれのディスク装置を対象とすることができる。また、ディスク状記録媒体の平面が略水平方向に沿って装着される利用形態で説明するが、平面が略鉛直方向に沿って装着される利用形態でも適用できる。
【００１２】
〔ディスクドライブの構造〕
図１は、本実施形態のディスクドライブの構成を示す分解斜視図である。図２は、開閉駆動手段が配設された枠体およびディスクトレイを示す分解斜視図である。図３は、開閉駆動手段が配設された枠体をディスクトレイとの関係で示す平面図である。図４は、操作部とカムとの関係を示すディスクドライブの一部を切り欠いた平面図である。図５は、カムと本体部とスイッチとの関係で本体部による処理状態を示す端面図である。図６は、カムと本体部とスイッチとの関係で処理状態からカムが移動された当初の状態を示す端面図である。図７は、カムと本体部とスイッチとの関係で本体部が待避状態へ移動された当初の状態を示す端面図である。
【００１３】
図１において、１００はディスクドライブで、このディスクドライブ１００は、金属製のケース体１０を有している。このケース体１０は、下面および前面が２面に亘って開口する上ケース１１と、この上ケース１１の下面を閉塞する下ケース１２と、上ケース１１の正面となる前面を閉塞する化粧板１３とを有し、略矩形状に構成されている。
【００１４】
そして、上ケース１１は、長方形平板状の天板部１１ａと、天板部１１ａの長手方向の両側縁に略垂直で一連に折曲形成された側板部１１ｂと、天板部１１ａの長手方向の後端部となる一端縁に側板部１１ｂと同方向に略垂直で一連に折曲形成された図示しない端板部とにより、下面および前面を開口して形成されている。この上ケース１１の側板部１１ｂの下端縁には、複数箇所、例えば２箇所内方に向けて折曲形成され図示しないねじ孔が穿設された取付片部１１ｄが設けられている。さらに、上ケース１１の一方、例えば図１における左側の側板部１１ｂには、前側に変位した位置に、略円形に穿設された図示しない操作開口部としての側面操作開口部が設けられている。
【００１５】
また、下ケース１２は、上ケース１１の天板部１１ａと略同形状の長方形平板状に形成されている。この下ケース１２には、天板部１１ａの取付片部１１ｄに対応して上方に向けて膨出するように屈曲され、ねじ孔１２ａが穿設された取付ダボ１２ｂが設けられている。
【００１６】
さらに、化粧板１３は、例えばアクリロニトリル−ブタジエン−スチレン（ＡＢＳ；Acrylonitrile-Butadiene-Styrene）などの合成樹脂製の略板状に形成されている。この化粧板１３には、一面に略垂直に突出され、先端部にそれぞれ上ケース１１の側板部１１ｂおよび下ケース１２に係脱可能に係合する図示しない係合爪部が突設されている。また、化粧板１３には、長手方向となる左右方向に長手状の開口部としての窓部１３ａが開口形成されている。さらに、化粧板１３には、いわゆるイジェクトボタンであるスイッチ操作部１３ｂと、動作確認窓１３ｃと、略円形に穿設された操作開口部１３ｄと、が設けられている。
【００１７】
また、ケース体１０は、剛性および絶縁性を有し弾性変形可能な部材である例えばＡＢＳなどの合成樹脂製の枠体１５を備えている。この枠体１５は、上ケース１１、下ケース１２および化粧板１３とによりケース体１０を構成し、内部に収容空間１８を区画形成する。そして、枠体１５は、図１ないし図３に示すように、上ケース１１の側板部１１ｂの内面に密着する側面部１５ａと、上ケース１１の端板部の内面に密着する端面部１５ｂと、側面部１５ａおよび端面部１５ｂの内面側に内方に向けて突出する支持リブ１５ｃと、側面部１５ａの端面部１５ｂと反対側である前面側の端部に架橋するように設けられた開閉駆動配設部１５ｄとを有し、軸方向の両端面を開口する略長方形枠状に形成されている。また、枠体１５の側面部１５ａには、上ケース１１の取付片部１１ｄおよび下ケース１２の取付ダボ１２ｂ間に挾持されてねじ止めされる取付リブ部１５ｅが設けられている。
【００１８】
さらに、枠体１５の支持リブ１５ｃには、図２および図３に示すように、案内リブ１５ｆ１，１５ｆ２が複数突設されている。これら案内リブ１５ｆ１，１５ｆ２は、枠体１５の側面部１５ａから内方に向けて突出する部分の支持リブ１５ｃに、枠体１５の長手方向である前後方向に沿って直線状に位置する状態にそれぞれ直列状に複数突設されている。そして、これら案内リブ１５ｆ１，１５ｆ２は、枠体１５の幅方向での間隔が所定の距離となる状態に配設されている。そして、案内リブ１５ｆ１は、前側である開閉駆動配設部１５ｄに向けて次第に幅狭となる平面視で涙粒状の柱状に所定の高さ寸法で突設されている。さらに、案内リブ１５ｆ２は、前後方向に細長壁状で突出する先端縁が略円弧状となるように、案内リブ１５ｆ１より低い所定の高さ寸法で突設されている。
【００１９】
そしてさらに、枠体１５の側面部１５ａには、内方に向けて突出する規制爪部１５ｉがそれぞれ突設されている。これら規制爪部１５ｉは、支持リブ１５ｃに対向する下面がディスクトレイ５０の進退方向で曲面状に中央が膨出する状態に形成されている。そして、規制爪部１５ｉは、下面の先端と、枠体１５の支持リブ１５ｃの上面との間の距離が所定の間隔となる状態に複数突設されている。
【００２０】
また、この枠体１５には、図１に示すように、処理手段としての本体部２０が配設されている。この本体部２０は、例えば金属製の平板枠状に形成された台座部２１を有している。この台座部２１は、枠体１５の端面部１５ｂから突出する支持リブ１５ｃに一縁が上下方向に回動可能に他縁がねじ止めされて取り付けられている。この台座部２１の一縁には、図１および図３に示すように、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１５の側面部１５ａから突出する支持リブ１５ｃに回動可能に軸支される一対の回動腕部２２ｂとを有している。そして、台座部２１は、回動案内部２２により、回動が案内される。
【００２１】
さらに、台座部２１には、図１に示すように、回動する一縁側に位置して回転軸支手段としてのディスク回転駆動手段２５が配設されている。このディスク回転駆動手段２５は、例えばスピンドルモータなどの回転用電動モータ２６と、この回転用電動モータ２６の図示しない出力軸に一体的に設けられた一方の挾持部材としてのターンテーブル２７とを有している。このターンテーブル２７は、光ディスク２００の中心に開口形成された軸孔２１０に嵌挿する略円柱状の回転軸２７ａと、この回転軸２７ａの外周面にフランジ状に突設され光ディスク２００の軸孔２１０の周縁が載置される鍔部２７ｂとを有している。そして、ターンテーブル２７の回転軸２７ａの先端部には、図示しない磁石が埋設されている。
【００２２】
また、台座部２１には、図１に示すように、情報処理手段としての処理移動手段３０が配設されている。この処理移動手段３０は、一対のガイドシャフト３１および移動用電動モータ３２を備えている。そして、一対のガイドシャフト３１は、台座部２１の軸支された他縁から回動側の一縁へ向けた方向に軸方向を有して配設されている。さらに、移動用電動モータ３２は、図示しない出力軸の軸方向がガイドシャフト３１の軸方向に沿う状態で配設されている。この移動用電動モータ３２の出力軸の外周面には、螺旋状に図示しない係合溝が設けられている。
【００２３】
さらに、処理移動手段３０には、記録再生手段４０が配設されている。この記録再生手段４０は、一対のガイドシャフト３１に架橋する状態で保持された移動保持部４１を有している。この移動保持部４１には、ガイドシャフト３１を移動可能に嵌挿する図示しない保持部と移動用電動モータ３２の出力軸の係合溝に係合する図示しない移動規制爪部が設けられている。また、記録再生手段４０の移動保持部４１には、図示しない光源と、この光源からの光を収束するレンズと、光ディスク２００から反射された光を検出する図示しない光センサとを備えたピックアップ４２が配設されている。
【００２４】
また、枠体１５には、この枠体１５の内側に支持リブ１５ｃの上方側で水平方向に進退可能に移動する搬送体としてのディスクトレイ５０が配設されている。このディスクトレイ５０は、図１ないし図３に示すように、例えば合成樹脂にて略長方形板状に形成されたトレイであるトレイ部５１を有している。そして、トレイ部５１の一面には、上方に向けて拡開する略円形凹状で光ディスク２００が載置可能な平面部である平面を有し光ディスク２００を収容する載置凹部５１ａが設けられている。また、トレイ部５１には、載置凹部５１ａの略中央から外周縁に亘って本体部２０のディスク回転駆動手段２５および記録再生手段４０に対応して開口し、移動するピックアップ４２が接触することなく進入可能にトレイ部５１の長手方向に沿って長手状に切り欠かれた開口部５１ｂが切欠形成されている。この開口部５１ｂは、収容空間１８に収容された光ディスク２００の最外周に記録された情報を読み取りあるいは最外周の位置に情報を記録する際にピックアップ４２が光ディスク２００の最外周に対応して位置してもトレイ部５１に当接しないように載置凹部５１ａの径方向でかつ長手方向に沿った長手状に切欠形成されている。そして、このトレイ部５１の長手方向の前側となる一縁には、化粧板１３と同材質にて形成され、ケース体１０の化粧板１３の窓部１３ａを閉塞する長手板状の窓閉塞板部５２が着脱可能に取り付けられている。
【００２５】
さらに、トレイ部５１の長手方向の両側部には、図１ないし図３に示すように、下端縁から側方に向けてフランジ状に突出するガイド鍔部５１ｃがそれぞれ設けられている。これらガイド鍔部５１ｃの先端間となるトレイ部５１の幅寸法は、枠体１５の側面部１５ａの内面間の幅寸法と略同等もしくは若干幅狭に形成されている。これらガイド鍔部５１ｃは、枠体１５の規制爪部１５ｉにより、ディスクトレイ５０が載置凹部５１ａが開口する側である上方に向けて移動することが規制され、ディスクトレイ５０の脱落が防止される。
【００２６】
さらに、トレイ部５１の裏面となる載置凹部５１ａが設けられた面と反対側の面に、長手方向の他側（図３における左側）に位置して長手方向に沿った裏面側である下方に向けて開口する第１の係合凹溝部５１ｃ１が設けられている。この第１の係合凹溝部５１ｃ１は、ディスクトレイ５０の後端部で開口する状態、すなわちディスクトレイ５０が進退する際に、案内リブ１５ｆ１が端部の開口から係脱する状態となっている。さらに、第１の係合凹溝部５１ｃ１には、枠体１５の案内リブ１５ｆ１がディスクトレイ５０の進退移動で係脱可能に係合される。案内リブ１５ｆ１が契合する第１の係合凹溝部５１ｃ１、および、規制爪部１５ｉにて移動規制されるガイド鍔部５１ｃにより、ディスクトレイ５０は、がたつきなく移動可能に案内される。
【００２７】
また、トレイ部５１の裏面には、長手方向の一側に位置して長手方向に沿った裏面側である下方に向けて開口し第１の係合凹溝部５１ｃ１と略平行な第２の係合凹溝部５１ｃ２が設けられている。この第２の係合凹溝部５１ｃ２は、第１の係合凹溝部５１ｃ１と同様に、ディスクトレイ５０の後端部で開口する状態、すなわちディスクトレイ５０が進退する際に、案内リブ１５ｆ１と反対側に位置する案内リブ１５ｆ２が端部の開口から係脱する状態となっている。この第２の係合凹溝部５１ｃ２は、案内リブ１５ｆ２の幅寸法と略同寸法もしくは略幅広に形成されている。そして、第２の係合凹溝部５１ｃ２には、案内リブ１５ｆ２がディスクトレイ５０の進退移動で係脱可能に係合され、ディスクトレイ５０はがたつきなく移動可能に案内される。
【００２８】
さらに、トレイ部５１の裏面には、第１の係合凹溝部５１ｃ１の開口縁に沿って長手方向に沿った壁状にガイドリブ５１ｄが設けられている。そして、このガイドリブ５１ｄの内面側には、第１の係合凹溝部５１ｃ１の下方に位置する状態で第１の係合凹溝部５１ｃ１の下方に位置しない状態に、長手方向に沿ったラッチ５１ｄ１が設けられている。また、ガイドリブ５１ｄの外面側は、案内リブ１５ｆ１側の案内リブ１５ｆ２が摺接可能に形成されている。
【００２９】
そしてさらに、トレイ部５１の裏面には、長手方向で適宜屈曲する状態に裏面側である下方に向けて開口する第３の係合凹溝部５１ｃ３が設けられている。この第３の係合凹溝部５１ｃ３は、長手方向の一端側である窓閉塞板部５２側に位置して、トレイ部５１の幅方向に沿った凹溝状の第１領域５１ｃ３ａを有している。また、第３の係合凹溝部５１ｃ３は、第１の領域５１ｃ３ａの一端側に連続しトレイ部５１の長手方向に対して約４５°で傾斜する方向に沿った凹溝状の第２領域５１ｃ３ｂを有している。さらに、第３の係合凹溝部５１ｃ３は、第２領域５１ｃ３ｂの一端側に連続しトレイ部５１の長手方向に沿った凹溝状の第３領域５１ｃ３ｃを有している。そして、第３の係合凹溝部５１ｃ３は、第３領域５１ｃ３ｃの一端側に連続し第２領域５１ｃ３ｂが傾斜する側に傾斜した凹溝状の第４領域５１ｃ３ｄを有し、適宜屈曲する凹溝状に形成されている。
【００３０】
そして、枠体１５には、図１ないし図３に示すように、開閉駆動配設部１５ｄに位置してディスクトレイ５０を進退移動させる駆動手段としての開閉駆動手段６０が配設されている。この開閉駆動手段６０は、互いに係合して開閉駆動配設部１５ｄに回転自在に軸支された、駆動伝達プーリ６１、この駆動伝達プーリ６１に係合する駆動伝達ギヤ６２、およびこの駆動伝達ギヤ６２に係合するとともにディスクトレイ５０のラッチ５１ｄ１に係合する駆動手段を構成する移動ギヤ６３を有している。また、開閉駆動手段６０には、移動ギヤ６３とにて駆動手段を構成する電動モータである出入用電動モータ６４を備えている。この出入用電動モータ６４の出力軸６４ａには、プーリ６５が一体的に設けられている。このプーリ６５と駆動伝達プーリ６１とには無端ベルト６６が掛け渡され、出入用電動モータ６４の駆動により、プーリ６５、駆動伝達プーリ６１、駆動伝達ギヤ６２および移動ギヤ６３が回転し、ディスクトレイ５０が化粧板１３の窓部１３ａから進退可能に移動される。
【００３１】
また、枠体１５の開閉駆動配設部１５ｄには、図１ないし図４に示すように、側面部１５ａの対向方向に沿って移動可能に配設されディスクトレイ５０とにて本発明の搬送手段を構成するカムとしての移動カム６８を有している。この移動カム６８には、ディスクトレイの第３の係合凹溝部５１ｃ３に係合する移動規制リブ６８ａと、移動ギヤ６３に係合する移動ラッチ６８ｂと、図５ないし図７に示すような台座部２１に一体的に取り付けられた回動案内部２２に一体的に突設されたガイドピン２２ｃが係合する略クランク状のリンク長孔部６８ｃと、図４に示すような移動カム６８の移動方向での幅寸法が所定の幅寸法に設定されたスイッチ動作凹部６８ｄと、などが設けられている。また、リンク長孔部６８ｃは、移動カム６８の幅方向の一側である上縁側に位置して移動カム６８の移動方向に沿った長孔状の第１ガイド領域６８ｃ１を有している。さらに、リンク長孔部６８ｃは、第１ガイド領域６８ｃ１の一端側に連続し、幅方向の他側に傾斜する状態に長孔状の第２ガイド領域６８ｃ２を有している。また、リンク長孔部６８ｃは、第２ガイド領域６８ｃ２の一端側に連続し、移動カム６８の幅方向の他側である下縁側に位置して移動カム６８の移動方向に沿った長孔状の第３ガイド領域６８ｃ３を有し、略クランク状に形成されている。
【００３２】
そして、移動カム６８は、出入用電動モータ６４の駆動にて駆動伝達ギヤ６２が回転すると、回転する移動ギヤ６３により移動カム６８が枠体１５の幅方向に沿って移動し、回動案内部２２のガイドピン２２ｃが係合するリンク長孔部６８ｃ内で摺動、すなわち相対的に移動して台座部２１を枠体１５の軸方向である上下方向に回動させる。すなわち、ガイドピン２２ｃがリンク長孔部６８ｃの第１ガイド領域６８ｃ１に位置する状態では、ターンテーブル２７がディスクトレイ５０の開口部５１ｂ内に進出し本体部２０が処理状態の位置となる。また、移動カム６８が移動してガイドピン２２ｃがリンク長孔部６８ｃの第２ガイド領域６８ｃ２内を相対的に移動する状態では、ターンテーブル２７がディスクトレイ５０の開口部５１ｂ内に進退して台座部２１が枠体１５の上下方向に回動する。さらに、ガイドピン２２ｃがリンク長孔部６８ｃの第３ガイド領域６８ｃ３に位置する状態では、ターンテーブル２７がディスクトレイ５０の移動経路から後退した待避状態の位置となる。
【００３３】
さらに、台座部２１の下方への回動に伴って、移動カム６８の移動規制リブ６８ａは係合するディスクトレイ５０の第３の係合凹溝部５１ｃ３内を摺動すなわち相対的に移動する状態となり、ディスクトレイ５０の一部が若干進出する状態となる。さらに駆動伝達ギヤ６２が回転すると、移動ラッチ６８ｂと移動ギヤ６３とが外れ、移動カム６８の移動が停止し、移動ギヤ６３に係合するディスクトレイ５０が進出する状態となる。すなわち、移動カム６８が移動して移動規制リブ６８ａが第３の係合凹溝部５１ｃ３の第１領域５１ｃ３ａを移動する状態ではディスクトレイ５０は移動せず、移動カム６８のさらなる移動により移動規制リブ６８ａが第３の係合凹溝部５１ｃ３の第２領域５１ｃ３ｂを移動する状態でディスクトレイ５０の一部が若干進出する。そして、移動規制リブ６８ａが第３の係合凹溝部５１ｃ３の第３領域５１ｃ３ｃに位置する状態で移動ラッチ６８ｂと移動ギヤ６３とが外れ、移動カム６８の移動が停止する。逆に、ディスクトレイ５０が後退して光ディスク２００の搬入位置である処理状態としてのホームポジションへ移動されると、第３の係合凹溝部５１ｃ３により移動規制リブ６８ａが移動されて移動ラッチ６８ｂと移動ギヤ６３とが再び係合し、台座部２１を上方へ回動させる。このように、移動カム６８は、移動ギヤ６３の回転による移動を、ディスクトレイ５０を異なる交差した方向であるホームポジションおよび一部が進出する状態の間における進退移動と、本体部２０を異なる交差した方向である上下方向に回動させる移動とに変換するリンク機構を備えている。
【００３４】
また、枠体１５の開閉駆動配設部１５ｄには、図５ないし図７に示すように、処理位置検出手段としてのスイッチである処理位置検出スイッチ６９が配設されている。この処理位置検出スイッチ６９は、回動可能な検知操作子６９ａを有し、この検知操作子６９ａが移動カム６８のスイッチ動作凹部６８ｄ内に位置する状態に配設されている。そして、処理位置検出スイッチ６９は、移動カム６８の移動により検知操作子６９ａが回動されてオンオフし、移動カム６８の移動状態、すなわち本体部２０の回動状態である処理状態の位置か否かを検出する。具体的には、図５に示すように、ディスクトレイ５０がホームポジションに位置し本体部２０が処理状態の位置にあり、回動案内部２２のガイドピン２２ｃがリンク長孔部６８ｃの第１ガイド領域６８ｃ１の端部に位置する状態に移動カム６８が位置する場合、処理位置検出スイッチ６９はオンとなる。また、図６に示すように、移動カム６８が若干移動され、回動案内部２２のガイドピン２２ｃがリンク長孔部６８ｃの第１ガイド領域６８ｃ１の第２ガイド領域６８ｃ２側の端部に位置する状態に移動カム６８が移動された場合、処理位置検出スイッチ６９はオンオフする。さらに、図７に示すように、移動カム６８がさらに若干移動され、ガイドピン２２ｃがリンク長孔部６８ｃの第１ガイド領域６８ｃ１から第２ガイド領域６８ｃ２へ移った際には、処理位置検出スイッチ６９はオンからオフとなる。なお、ガイドピン２２ｃがリンク長孔部６８ｃの第３ガイド領域６８ｃ３に移動されてディスクトレイ５０が進出し、移動カム６８の移動規制リブ６８ａがディスクトレイ５０の第３の係合凹溝部５１ｃ３における第４領域５１ｃ３ｄに位置する状態まで移動カム６８が移動されると、処理位置検出スイッチ６９は検知操作子６９ａが移動カム６８のスイッチ動作凹部６８ｄの端部により逆側に回動されて再びオンする状態となっている。
【００３５】
さらに、枠体１５には、図４に示すように、開閉駆動配設部１５ｄの下面に回動可能に手動排出手段としての回動操作部７０が配設されている。この回動操作部７０は、開閉駆動配設部１５ｄに突設された図示しないリブにて回動可能に軸支される略円筒状の軸支部７０ａと、この軸支部７０ａの外周面に径方向に突出し先端部に凹曲面部７０ｂ１を有した操作腕部７０ｂと、軸支部７０ａの外周面に径方向に突出する移動腕部７０ｃと、を備え、一体形成されている。そして、回動操作部７０は、凹曲面部７０ｂ１の凹面が化粧板１３の操作開口部１３ｄを略覆うように対向し、操作開口部１３ｄから挿入される操作具としての操作ピン８０の先端部にて押し込まれる状態に回動されることで、ディスクトレイ５０の収納位置に対応した移動カム６８の移動方向の先端部となる端面に移動腕部７０ｃが当接して移動させる状態に配設されている。なお、操作ピン８０は、例えば比較的に曲がりにくい硬質の鋼材にて細長棒状に形成されたものが利用される。
【００３６】
また、枠体１５には、図１に示すように、側面部１５ａ間に架橋する状態でねじにて固定される覆い体としての支持部材である回転子支持部材１７が設けられている。この回転子支持部材１７は、例えば金属板がプレス加工されて形成され、周縁が一面側に拡開する状態に傾斜して略薄型皿状に形成されている。そして、回転子支持部材１７の一縁がディスクトレイ５０の載置凹部５１ａに対応する円弧状に形成され、載置凹部５１ａを略覆って光ディスク２００が収容される収容空間１８を区画形成する。また、回転子支持部材１７には、円弧状の一縁の中心と略同位置となる略中央に、ディスク回転駆動手段２５のターンテーブル２７に対向する位置に上方に向けて凹状の支持凹部１７ａが設けられている。この支持凹部１７ａの略中央には、支持孔１７ｂが開口形成されている。この回転子支持部材１７の支持凹部１７ａには、他方の挾持部材としての回転子２９が回転可能に載置されている。そして、回転子２９は、略円盤状で、外周縁が支持孔１７ｂの周縁に係合可能に形成されている。また、この回転子２９には例えば金属板などの図示しない磁性材料が一体的に取り付けられ、回転子２９はターンテーブル２７の磁石の磁力にて光ディスク２００をターンテーブル２７とにより挾持すなわちクランプする。
【００３７】
また、枠体１５には、図１に示すように、回路基板７５が取り付けられている。この回路基板７５は、枠体１５に設けられた図示しない基板取付爪部により係脱可能に取り付けられる。回路基板７５は、ケース体１０の下ケース１２と略同寸法の平板状で、枠体１５の下面を閉塞して本体部２０を覆うように取り付けられる。この回路基板７５には、本体部２０および開閉駆動手段６０の出入用電動モータ６４の動作を制御する回転状態検出手段および規制手段として機能する制御回路が搭載されている。制御回路は、光ディスク２００の回転状態を検出する。この光ディスク２００の回転状態の検出方法は、例えばディスク回転駆動手段２５に設けられたホール素子から出力される信号やディスク回転駆動手段２５に流れる電流値などにより、ディスク回転駆動手段２５の駆動状態を検出するなど、各種方法が適用できる。
【００３８】
さらに、制御回路は、処理位置検出スイッチ６９のオンオフに基づいて、光ディスク２００が本体部２０にて読取処理や記録処理が実施される処理位置に位置するか否かを判定し、光ディスク２００が回転している際に手動操作にて回動操作部７０が回動操作されてもディスクトレイ５０の一部がケース体１０外へ進出されることを規制すなわち禁止する処理をする。具体的には、光ディスク２００が回転している状態で手動操作にて回動操作部７０が回動操作されて移動カム６８が移動されることにより処理位置検出スイッチ６９がオンからオフとなると、制御回路は本体部２０が処理位置の状態が維持される状態に出入用電動モータ６４を駆動させる制御をする。この制御による出入用電動モータ６４の駆動は、手動操作にて移動カム６８が移動される方向と反対側に、この手動操作にて移動カム６８が移動される移動力より大きな移動力を移動カム６８に作用させる状態となっている。このことにより、手動操作されても、移動カム６８が移動されない状態となり、本体部２０が処理位置の状態から回動されることが禁止され、光ディスク２００が回転していても、光ディスク２００がディスクトレイ５０と接触することが防止される。
【００３９】
〔ディスクドライブの動作〕
次に、上記実施形態におけるディスクドライブ１００の動作を図面を参照して説明する。図８は、手動操作にてディスクトレイを進出させる際の回路基板の制御回路による規制動作を示すフローチャートである。
【００４０】
まず、ディスクドライブ１００に電力を供給する。そして、利用者は、化粧板１３のスイッチ操作部１３ｂを操作する。このスイッチ操作部１３ｂの操作により、回路基板７５に配設された図示しないスイッチが開閉し、回路基板７５の制御回路が開閉駆動手段６０の出入用電動モータ６４を駆動させる。この出入用電動モータ６４の駆動により、プーリ６５、駆動伝達プーリ６１、駆動伝達ギヤ６２および移動ギヤ６３が回転し、移動ギヤ６３にラッチ５１ｄ１が係合するディスクトレイ５０が化粧板１３の窓部１３ａから進出する方向に移動する。この移動の際、開閉駆動手段６０の移動カム６８も移動し、この移動カム６８に回動案内部２２が係合する台座部２１が下方に向けて移動されて本体部２０が下方に向けて回動し、本体部２０が進出するディスクトレイ５０の移動経路から後退して干渉しないように待避状態となる。
【００４１】
この進出したディスクトレイ５０の載置凹部５１ａに光ディスク２００を、この光ディスク２００の記録面が下方に向く状態で載置する。この後、再び化粧板１３のスイッチ操作部１３ｂを操作し、開閉駆動手段６０の出入用電動モータ６４を回転駆動させ、ディスクトレイ５０を窓部１３ａ内に後退させホームポジションに位置させる。このディスクトレイ５０の後退の際、移動ギヤ６３にて移動する移動カム６８に回動案内部２２が係合する台座部２１が上方に向けて回動し、下方に待避状態の本体部２０はピックアップ４２が光ディスク２００に対向して処理位置である記録再生位置となる。この本体部２０の上方への回動により、ディスク回転駆動手段２５のターンテーブル２７の回転軸２７ａが光ディスク２００の軸孔２１０に嵌挿する。さらに、ターンテーブル２７の磁石の磁力により、ターンテーブル２７と回転子２９との間に光ディスク２００が挟持固定される。なお、この挾持する状態では、回転子２９は回転子支持部材１７から若干持ち上げられて回転子支持部材１７に接触しない状態となっている。この状態で、回路基板７５の制御回路が本体部２０を制御し、ディスク回転駆動手段２５の回転用電動モータ２６にて光ディスク２００を適宜回転させるとともに処理移動手段３０にて記録再生手段４０のピックアップ４２を記録面に沿って適宜移動させ、記録された情報を読み取る読取処理、あるいは情報を記録する記録処理を実施する。
【００４２】
ここで、例えば停電などにより電力供給が停止してしまった場合、あるいはノイズまたは外部衝撃の異常動作などにより、ディスクドライブ１００のスイッチ操作部１３ｂを操作してディスクトレイ５０を進出させる動作を実施できない場合には、操作ピン８０を利用してディスクドライブ１００内に搬送されている光ディスク２００を手動操作により排出させる。例えば、化粧板１３の操作開口部１３ｄから、図４に示すように操作ピン８０を挿入し、対向する回動操作部７０の凹曲面部７０ｂ１に係合させて操作腕部７０ｂを押し込む状態に操作する。この操作により、回動操作部７０が回動して回動操作部７０の移動腕部７０ｃの先端部が移動カム６８の端面に当接し、移動カム６８を押し退ける状態に移動させる。これらの移動カム６８の移動により、上述したように、移動カム６８の移動規制リブ６８ａがディスクトレイ５０の第３の係合凹溝部５１ｃ３内を相対的に摺動してディスクトレイ５０の窓閉塞板部５２側が窓部１３ａから一部進出する状態となるとともに、本体部２０が進出するディスクトレイ５０の移動経路から下方に回動されて後退する。このことにより、ディスクトレイ５０の進出する一部を引き出す操作により、光ディスク２００が取り出し可能となる。
【００４３】
この手動操作によるディスクトレイ５０を進出させる操作の際、図８に示すように電力が供給された状態で（ステップＳ１０１）、回路基板７５の制御回路は、光ディスク２００の回転状態を検出、すなわち回転用電動モータ２６の駆動状態を検出（ステップＳ１０２）。このステップＳ１０２において、光ディスク２００が回転していない、すなわち回転用電動モータ２６が駆動していないと判断すると、制御回路による出入用電動モータ６４の駆動制御を実施することなく処理を終了する。すなわち、手動操作にて回動操作部７０の回動操作により移動カム６８が移動され、本体部２０が処理位置から待避位置に移動されるとともに、ディスクトレイ５０の一部がケース体１０外へ進出される。
【００４４】
一方、ステップＳ１０２において、光ディスク２００が回転していると判断すると、制御回路は処理位置検出スイッチ６９がオンか否かを判断、すなわちオンからオフに切り替わったか否かを判断する（ステップＳ１０３）。このステップＳ１０３において、処理位置検出スイッチ６９がオンである、すなわちオフに切り替わっていないと判断すると、制御回路は手動操作により移動カム６８が移動されていないと判断し、ステップＳ１０２に戻る。一方、ステップＳ１０３において、制御回路は、処理位置検出スイッチ６９がオンでない、すなわちオフに切り替わったことを検出すると、手動操作により移動カム６８が移動されたと判断し、光ディスク２００が回転していることから、手動操作による光ディスク２００の搬出動作を規制する処理をする。すなわち、本体部２０が処理位置の状態が維持される状態に出入用電動モータ６４を駆動させる制御をする（ステップＳ１０４）。この後、制御回路は、処理位置検出スイッチ６９がオンか否かを判断し（ステップＳ１０５）、処理位置検出スイッチ６９がオンではないと判断すると、ステップＳ１０４に戻る。すなわち、移動カム６８が手動操作で移動されないように出入用電動モータ６４の駆動制御を継続させる。
【００４５】
そして、ステップＳ１０５で処理位置検出スイッチ６９がオンであると判断すると、制御回路は光ディスク２００が回転しているか否かを判断する（ステップＳ１０６）。そして、光ディスク２００が回転していると判断すると、回転用電動モータ２６を停止させる制御をして光ディスク２００の回転を停止させる処理をする（ステップＳ１０７）。この後、制御回路は、出入用電動モータ６４をディスクトレイ５０が所定距離で進出する状態に駆動制御し（ステップＳ１０８）、処理を終了する。ここで、ディスクトレイ５０の進出する所定距離としては、利用者がディスクトレイ５０の進出する部分を持って引き出せる状態となる、例えば１ｃｍ〜３ｃｍ程度であるが、この移動距離としては、スイッチ操作部１３ｂが操作されることにより進出する距離とするなど、適宜設定される。また、ステップＳ１０６で光ディスク２００が回転していないと判断すると、ステップＳ１０８に進み、同様にディスクトレイ５０の一部が所定距離で進出する状態に駆動制御して処理が終了する。
【００４６】
〔ディスクドライブの作用効果〕
上述したように、上記実施形態では、回路基板７５の制御回路により、処理位置検出スイッチ６９のオンオフに基づいて光ディスク２００がクランプされて読取処理や記録処理される際の本体部２０の処理位置となっていないことを検出するとともに、光ディスク２００が回転していることを検出すると、操作ピン８０による手動操作にて回動操作部７０が操作されて光ディスク２００を搬送するディスクトレイ５０の少なくとも一部がケース体１０外へ進出される動作を規制、すなわち禁止する制御をしている。このため、光ディスク２００の処理位置状態を検出して光ディスク２００の搬出状態を適宜規制しているので、手動操作によりディスクトレイ５０を進出させる処理のために本体部２０が回動されて回転する光ディスク２００がディスクトレイ５０に接触して光ディスク２００やディスクトレイ５０などの光ディスク２００を搬送する部材などが損傷することを確実に防止できる。また、電力が供給された状態での手動操作によるディスクトレイ５０の一部進出状態を適宜規制する構成であるため、例えば動作確認などの保守管理の際に手動操作にて光ディスク２００を取り出すなどの場合でも、確実に光ディスク２００などの損傷が防止され、使い勝手がよい。
【００４７】
そして、光ディスク２００を読取処理や記録処理をするために回転可能に軸支するディスク回転駆動手段２５と、記録再生手段４０を備えた処理移動手段３０とを備えた本体部２０を、光ディスク２００の搬送経路に対して進退する状態に回動させる構成で、光ディスク２００の処理位置状態を検出して光ディスク２００の搬出状態を適宜規制している。このため、確実に光ディスク２００などの損傷を防止できる。
【００４８】
また、制御回路により、光ディスク２００をケース体１０内へ搬送する状態に、出入用電動モータ６４の駆動を制御している。このため、光ディスク２００を搬送するための出入用電動モータ６４を利用した駆動制御であることから、別途特別な構成を設ける必要がなく、光ディスク２００などの確実な損傷防止が容易にできる。
【００４９】
さらに、制御回路により、光ディスク２００を保持して搬送させるディスクトレイ５０の手動操作による移動を規制している。このため、光ディスク２００を搬送する際にディスクトレイ５０が本体部２０に干渉しないように本体部２０を回動させる構成であることから、ディスクトレイ５０の一部を進出させる移動を規制することで、光ディスク２００をディスクトレイ５０に保持させるために回転している光ディスク２００とディスクトレイ５０とが接触することを確実に防止できる。
【００５０】
そして、制御回路は、光ディスク２００を回転可能に軸支するターンテーブル２７を光ディスク２００の搬送経路すなわちディスクトレイ５０の移動経路から進退させるために本体部２０を移動させる移動カム６８の移動を規制している。このため、簡単な構成で光ディスク２００などの損傷を確実に防止できる構成が得られる。特に、移動カム６８がディスクトレイ５０の一部を移動させるためにディスクトレイ５０の第３の係合凹溝部５１ｃ３にも係合する構成であることから、移動カム６８の移動を規制することで、ディスクトレイ５０の移動規制も合わせて確実に得られ、より確実に光ディスク２００などの損傷防止が簡単な構成で容易に得られる。
【００５１】
また、この移動カム６８の移動規制として、制御回路は、光ディスク２００が読出処理や記録処理される処理位置となる本体部２０の処理状態の位置から待避状態の位置へ移動させるための移動に抗して移動カム６８を移動させる状態に制御している。このため、本体部２０が処理状態に位置する状態が確実に維持され、より確実に光ディスク２００などの損傷防止ができる構成が容易に得られる。そして、移動カム６８の移動規制として、光ディスク２００が処理位置で維持するように制御している。このため、確実な光ディスク２００などの損傷防止が容易にできる。特に、移動カム６８の移動規制として、移動カム６８を移動させるための出入用電動モータ６４の駆動を制御している。このため、例えばブレーキなどの特別な構成を用いることなく、本体部２０を回動させてディスクトレイ５０を進退させる出入用電動モータ６４を利用して駆動制御するのみでよく、構成の簡略化が容易に得られる。
【００５２】
そして、手動操作による光ディスク２００の搬出動作として、移動カム６８の移動状態を検出する処理位置検出スイッチ６９のオンオフ状態に基づいて光ディスク２００の処理位置を検出している。このため、光ディスク２００の処理位置か否かの検出が、移動カム６８の位置の検出により判断でき、例えば光センサなどの光ディスク２００の位置を直接検出する特別な構成を利用することなく、構成の簡略化が容易にできる。特に、スイッチ操作部１３ｂの入力操作にて出入用電動モータ６４の駆動状態を制御するために移動カム６８の位置を検出する処理位置検出スイッチ６９を利用しているので、別途特別な構成が不要でより構成の簡略化が容易にできる。
【００５３】
また、制御回路は、手動操作が実施された際に光ディスク２００の回転が停止することにより、ディスクトレイ５０が所定距離で進出する状態に出入用電動モータ６４の駆動を制御している。すなわち、ディスクトレイ５０の移動をアシストする状態としている。このため、手動操作が容易にできる。さらには、所定距離で進出するので、手動操作毎に進出状態が変動せず、手動操作による安定した光ディスク２００の取り出し状態が得られ、使い勝手を向上できる。
【００５４】
〔実施形態の変形〕
なお、本発明は、上述した実施形態に限定されるものではなく、本発明の目的を達成できる範囲で以下に示される変形をも含むものである。
【００５５】
すなわち、本発明の処理装置としては、上述したように、光ディスク２００を対象とした構成に限らず、磁気ディスク、光磁気ディスクなど、光や磁気などにより情報を再生あるいは記録可能ないずれのディスク状記録媒体を処理するディスクドライブ１００を対象とすることができる。さらに、上述したようにディスクトレイ５０を備えないいわゆるスロットインタイプのディスクドライブやスリムドライブなどにも適用できる。この場合においても、光ディスク２００の搬送に対応して本体部２０が移動経路に進退するリンク機構を備えた構成すなわち移動カム６８に対応する部材を備えた構成で、この移動カム６８の移動を規制したり、光ディスク２００を搬送する部材の動作を規制するなど、いずれの方法を適用すればよい。
【００５６】
そして、手動操作によりディスクトレイ５０の少なくとも一部を進出させる機構としては、回動操作部７０にて移動カム６８を移動させる構成の他、例えばディスクトレイ５０を直接移動させる状態に回動操作部７０を構成し、このディスクトレイ５０の進退移動に連動して本体部２０が回動する構成とするなど、いずれの構成が適用できる。さらに、操作ピン８０を用いる構成に限らず、例えば回動操作部７０の一部がケース体１０の外部に臨み、この回動操作部７０を直接操作する構成とするなどしてもよい。また、回動操作部７０を設けず、直接的に手動操作にて移動カム６８を移動させる構成としてもよい。そして、ケース体１０に設ける操作開口部１３ｄとして、ケース体１０の正面となる化粧板１３に設けるのみに限らず、手動操作可能ないずれの位置に設けてもよい。
【００５７】
また、手動操作により光ディスク２００をディスクトレイ５０で搬送させる動作の検出として、手動操作の実施による移動カム６８の位置を検出する処理位置検出スイッチ６９を用いて説明したが、例えば光センサなどにより光ディスク２００の位置を検出するなど、いずれの方法が適用できる。
【００５８】
そして、制御回路として、上述した処理動作に限られるものではない。例えば、ステップＳ１０２で光ディスク２００が回転していないことを検出すると、ステップＳ１０８へ進んで、ディスクトレイ５０の一部が所定距離でケース体１０から進出する状態に出入用電動モータ６４を駆動させる処理を実施してもよい。さらには、ステップＳ１０７で光ディスク２００の回転を停止した後にステップＳ１０８に進んだが、ステップＳ１０８に進むことなく、ステップＳ１０２で光ディスク２００が回転していないことを検出した後の処理と同様に、手動操作を可能とすべく処理を終了させるなどしてもよい。
【００５９】
その他、本発明実施の際の具体的な構造および手順は、本発明の目的を達成できる範囲で他の構造などに適宜変更できる。
【００６０】
〔実施形態の効果〕
上述したように、制御回路により、処理位置検出スイッチ６９のオンオフに基づいて光ディスク２００がクランプされて読取処理や記録処理される際の本体部２０による処理位置となっていないことを検出するとともに、光ディスク２００が回転していることを検出すると、操作ピン８０による手動操作にて回動操作部７０が操作されて光ディスク２００を搬送するディスクトレイ５０がケース体１０外へ進出される動作を規制している。このため、光ディスク２００の処理位置状態を検出して光ディスク２００の搬出状態を適宜規制しているので、手動操作によりディスクトレイ５０を進出させる処理のために本体部２０が回動されて回転する光ディスク２００がディスクトレイ５０に接触して光ディスク２００やディスクトレイ５０などの光ディスク２００を搬送する部材などが損傷することを確実に防止できる。また、電力が供給された状態での手動操作によるディスクトレイ５０の一部進出状態を適宜規制する構成であるため、例えば動作確認などの保守管理の際に手動操作にて光ディスク２００を取り出すなどの場合でも、確実に光ディスク２００などの損傷が防止され、使い勝手がよい。
【産業上の利用可能性】
【００６１】
本発明は、搬送手段によりディスク状記録媒体をケース体内外へ搬送し処理手段にて読取処理や記録処理をする処理装置に利用できる。
【図１】
0004335947.tif 000002
【図２】
0004335947.tif 000003
【図３】
0004335947.tif 000004
【図４】
0004335947.tif 000005
【図５】
0004335947.tif 000006
【図６】
0004335947.tif 000007
【図７】
0004335947.tif 000008
【図８】
0004335947.tif 000009